(57)【要約】【課題】本発明は、仏壇から引き出し自在に提灯掛けを取り付けるとともに、提灯掛けに掛ける提灯の配置を適宜変更できる仏壇を提供することを課題とする。【解決手段】本発明に係る仏壇は、提灯掛けが、仏壇の天板下の支輪（笠）部分の正面側に設けられた挿入孔に対して、仏壇の前後方向に引き出し自在に挿入されており、当該挿入孔は、正面側の孔の縁が外方向に向かって、挿入空間側の孔の縁が内方向に向かって、それぞれ切り欠かれていることで、提灯掛けを、仏壇から引き出した状態で、仏壇の外方向に向けることができることを特徴とする。【選択図】  図３
2015112309.tif 000002
【特許請求の範囲】
【請求項１】
提灯掛けが、
仏壇の天板下の支輪部分の正面側に設けられた挿入孔に対して、
仏壇の前後方向に引き出し自在に挿入されており、
当該挿入孔は、
正面側の孔の縁が外方向に向かって、
挿入空間側の孔の縁が内方向に向かって、
それぞれ切り欠かれていることで、
提灯掛けを、仏壇から引き出した状態で、仏壇の外方向に向けることができる
ことを特徴とする提灯掛けを備えた仏壇。
【請求項２】
仏壇の天板下の挿入空間内に、鉛直下方向に向かって凸状の突起が所定間隔で複数形成された段階的方向調節部材が設けられており、
長軸方向に沿った上面側に、段階的方向調節部材の一の突起と嵌合するように凹状の溝が形成された提灯掛けが、
仏壇の天板下の支輪部分の正面側に設けられた挿入孔に対して、
仏壇の前後方向に引き出し自在に挿入されており、
挿入孔は、
正面側の孔の縁が外方向に向かって、
挿入空間側の孔の縁が内方向に向かって、
それぞれ切り欠かれていることで、
提灯掛けを、仏壇から引き出した状態で、仏壇の外方向に段階的に方向を調節しながら向けることができる
ことを特徴とする提灯掛けを備えた仏壇。
【請求項３】
仏壇の天板下の挿入空間内に、鉛直下方向に向かって凸状の突起が所定間隔で複数形成された段階的方向調節部材が設けられており、
長軸方向に沿った上面側に、段階的方向調節部材の一の突起と嵌合するように凹状の溝と、
挿入空間側の先端の上面側に、提灯掛けを仏壇から引き出す際に段階的方向調節部材に当接するストッパーの役割を果たすように凸状の突起とが
それぞれ形成された提灯掛けが、
仏壇の天板下の支輪部分の正面側に設けられた挿入孔に対して、
仏壇の前後方向に引き出し自在に挿入されており、
挿入孔は、
正面側の孔の縁が外方向に向かって、
挿入空間側の孔の縁が内方向に向かって、
それぞれ切り欠かれていることで、
提灯掛けを、仏壇から引き出した状態で、仏壇の外方向に段階的に方向を調節しながら向けるとともに、
提灯掛けを引き出しすぎることによる脱落を防止する
ことを特徴とする提灯掛けを備えた仏壇。
【請求項４】
前記のストッパーの役割を果たす凸状の突起が、
提灯掛けの側方に設けられていることで、
提灯掛けを引き出したときにストッパーが挿入孔の挿入空間側の縁に当たり、
提灯掛けを引き出しすぎることによる脱落を防止する
ことを特徴とする請求項３に記載の提灯掛けを備えた仏壇。
【請求項５】
提灯掛けの仏壇正面側の先端には、
挿入孔の開口部大の大きさの
装飾板が取り付けられている
ことを特徴とする請求項１から４に記載の提灯掛けを備えた仏壇。
【発明の詳細な説明】
【技術分野】
【０００１】
本発明は、仏壇の天板下の支輪（笠）部分に提灯掛けを備えた仏壇に関する。
【背景技術】
【０００２】
従来から、仏壇の荘厳具として、燈籠などの照明具が用いられている。
燈籠の他にも、荘厳具として、瓔珞などが用いられることがあるが、いずれも、荘厳具の上に埃が積もったり、取り付けや交換の作業が面倒であるなど、使い勝手が不便であった。
【０００３】
そこで、特許文献１には、燈籠の取り外しが簡単にできる、吊り燈籠を吊下する仏壇用の吊り燈籠が開示されている。
【０００４】
しかし、従来の燈籠は、照明具としては小さく、より大きい照明具が求められていたが、提灯は、燈籠より大きいため、燈籠と同じ場所に吊るすことができない。
そのため、本願発明者は、仏壇から突き出した棹に提灯を吊るす提灯掛けを発案し、現在では、沖縄県内の幾つかの業者が実施するようになった（非特許文献１のウェブページ参照）。
【先行技術文献】
【特許文献】
【０００５】
【特許文献１】特開昭和６３−９２３１４号公報
【非特許文献】
【０００６】
【非特許文献１】玉城家具（沖縄県那覇市壺屋１−２９−１６）ウェブサイト掲載の「いろいろな機能を備えた玉城家具の御仏壇」のページ（http://tamakikagu.com/butudan.html#1）（平成２５年１１月６日検索）
【発明の概要】
【発明が解決しようとする課題】
【０００７】
しかし、仏壇から正面側に向かって突き出した棹（提灯掛け）の先端に提灯を掛けただけでは、仏壇の正面を遮ってしまい、提灯が邪魔になってしまう。
提灯掛けに掛けられた提灯の配置を自由に変更できる仕組みの仏壇が求められていたが、このような仏壇は、これまで開示されていない。
【０００８】
そこで、本発明は、上記の問題に鑑み、仏壇から引き出し自在に提灯掛けを取り付けるとともに、提灯掛けの向きを変えて、提灯に掛ける提灯の配置を適宜変更できる仏壇を提供することを課題とする。
【課題を解決するための手段】
【０００９】
本発明に係る提灯掛けを備えた仏壇は、
提灯掛けが、
仏壇の天板下の支輪部分の正面側に設けられた挿入孔に対して、
仏壇の前後方向に引き出し自在に挿入されており、
当該挿入孔は、
正面側の孔の縁が外方向に向かって、
挿入空間側の孔の縁が内方向に向かって、
それぞれ切り欠かれていることで、
提灯掛けを、仏壇から引き出した状態で、仏壇の外方向に向けることができる
ことを特徴とする。
【００１０】
本発明は、提灯掛けが取り付けられた仏壇であることを特徴とする。
提灯掛けは、棒状の棹からなり、仏壇の天板下の支輪（笠）部分の正面側に設けられた挿入孔に対して、仏壇の前後方向に引き出し自在に挿入される。
挿入孔は、提灯を掛けて吊り下げるのに適した場所であれば、仏壇の天板下の支輪（笠）に限定されず、提灯掛けを引き出し自在に挿入できれば、仏壇の上部のどこの位置に設けても良い。
提灯掛けを挿入する挿入孔は、仏壇の正面から内部に向かって筒状に設けられており、この筒状の挿入孔に対して、提灯掛けが挿入される。
これにより、提灯掛けを、仏壇の前後方向に引き出し自在に挿入することができ、提灯を掛けるときだけ引き出して使用し、提灯を掛けないときは仏壇内部に押し込んで収納することができる。
【００１１】
また、提灯掛けに掛けた提灯が、仏壇の正面を遮らないように、仏壇の前方向に引き出した提灯掛けを、仏壇の外側に向けることができるようにするため、挿入孔は、正面側の開口部分付近の縁が、仏壇の外方向に向かって切り欠かれており、且つ、挿入空間（仏壇の内部）側の開口部分付近の縁が、仏壇の内方向に向かって切り欠かれている。
これは、挿入孔の正面側の開口部分付近の縁のみが、仏壇の外方向に向かって切り欠かれていると、挿入孔の正面側の開口部分が大きく開口した状態になり、仏壇の外観を損ねてしまうためである。
また、例えば、挿入孔の仏壇正面側の開口部分の大きさを、できるだけ小さくして、仏壇の前方向に引き出した提灯掛けを、仏壇の外側に向けることができるようにするには、挿入孔の挿入空間側の開口部分付近の縁のみを、仏壇の内方向に向かって切り欠く必要があるが、正面側の開口部分付近の縁に切り欠きを形成しなかった場合は、正面側の開口部分付近の縁は、図６に示すとおり、板材が薄くなり、開口部付近の板材が割れたり、欠けるなどして破損するおそれがある。
そこで、前記のように、挿入孔の、正面側の開口部分付近の縁だけでなく、挿入空間（仏壇の内部）側の開口部分付近の縁にも、切り欠きを形成することで、仏壇の外観を損ねることなく、挿入孔の開口部分の板材の損壊を気にすることなく、仏壇の前方向に引き出した提灯掛けを、仏壇の正面を遮らないように、仏壇の外方向に向けて使用することができる。
そして、提灯掛けが挿入される挿入孔の径を極力小さくすることができる。
【００１２】
なお、提灯掛けの仏壇正面側の先端には、挿入孔の開口部大の大きさの装飾板が取り付けることもできる。
これは、提灯掛けを引き出し易くする摘みとして機能するほか、挿入孔の開口部を隠す目隠しの役割を果たす。
したがって、装飾板の大きさは、挿入孔の開口部大が望ましい。
装飾板に施された装飾は、装飾板の表面に家紋などを彫ることもできるし、装飾板自体を特徴的な形態にすることもできる。
【００１３】
本発明に係る提灯掛けを備えた仏壇は、
仏壇の天板下の挿入空間内に、鉛直下方向に向かって凸状の突起が所定間隔で複数形成された段階的方向調節部材が設けられており、
長軸方向に沿った上面側に、段階的方向調節部材の一の突起と嵌合するように凹状の溝が形成された提灯掛けが、
仏壇の天板下の支輪部分の正面側に設けられた挿入孔に対して、
仏壇の前後方向に引き出し自在に挿入されており、
挿入孔は、
正面側の孔の縁が外方向に向かって、
挿入空間側の孔の縁が内方向に向かって、
それぞれ切り欠かれていることで、
提灯掛けを、仏壇から引き出した状態で、仏壇の外方向に段階的に方向を調節しながら向けることができる
ことを特徴とする。
【００１４】
本発明は、前記の提灯掛けを備えた仏壇の特徴の他、仏壇に設けられた段階的方向調節部材に形成された複数の突起と、提灯掛けに形成された溝とが嵌合することで、仏壇から引き出した状態で、仏壇の外方向に向けた提灯掛けの方向を、段階的に調節できることを特徴とする。
提灯掛けは、長軸方向に沿って、上面側に、段階的方向調節部材に形成された複数の突起の一つと嵌合するように凹状の溝が形成されている。
それに対して、段階的方向調節部材は、提灯掛けに形成された溝に、一の突起が嵌合するように、鉛直下方向に向かって凸状の突起が所定間隔で複数形成されている。
提灯掛けは、段階的方向調節部材に形成された複数の突起の一つを溝に嵌合させて、向ける方向を調節する。
つまり、提灯掛けに提灯を吊るすと、提灯の重さによって、提灯掛けの挿入空間側の先端が上がり、仏壇の天板下の挿入空間内の天井に当接する。
そこで、挿入空間内に、鉛直下方向に向かって凸状の突起が所定間隔で複数形成された段階的方向調節部材を設けることで、この一の突起が、挿入空間側の先端が上がった提灯掛けに形成された溝に嵌合し、その位置で、提灯掛けの向きを固定できる。
段階的方向調節部材は、別に製作された段階的方向調節部材を仏壇の天板下の挿入空間内に取り付けても良いし、仏壇の天板下の挿入空間内の天井に凸状の突起を形成しても良い。
仏壇の天板下の挿入空間内に、仏壇とは別体として製作した段階的方向調節部材を取り付けるときは、段階的方向調節部材の一端を、仏壇の天板下の挿入空間内の左右の側壁に取り付ける。
段階的方向調節部材は、仏壇の天板下の挿入空間内の左右の側壁に、垂直になるように取り付けても良いし、仏壇の正面側に傾けるように取り付けても良い。
また、段階的方向調節部材の一端を、仏壇の天板下の挿入空間内の左右の側壁に軸支し、提灯掛けが外方向に向くのに合わせて、段階的方向調節部材の他端が仏壇の正面側に傾くようにしても良い。
段階的方向調節部材に形成される複数の突起は、凹凸を交互に繰り返す波形に形成しても良いし、提灯掛けに形成される溝を凸状に形成した突起に変更することもできる。
【００１５】
本発明に係る提灯掛けを備えた仏壇は、
仏壇の天板下の挿入空間内に、鉛直下方向に向かって凸状の突起が所定間隔で複数形成された段階的方向調節部材が設けられており、
長軸方向に沿った上面側に、段階的方向調節部材の一の突起と嵌合するように凹状の溝と、
挿入空間側の先端の上面側に、提灯掛けを仏壇から引き出す際に段階的方向調節部材に当接するストッパーの役割を果たすように凸状の突起とが
それぞれ形成された提灯掛けが、
仏壇の天板下の支輪部分の正面側に設けられた挿入孔に対して、
仏壇の前後方向に引き出し自在に挿入されており、
挿入孔は、
正面側の孔の縁が外方向に向かって、
挿入空間側の孔の縁が内方向に向かって、
それぞれ切り欠かれていることで、
提灯掛けを、仏壇から引き出した状態で、仏壇の外方向に段階的に方向を調節しながら向けるとともに、
提灯掛けを引き出しすぎることによる脱落を防止する
ことを特徴とする。
【００１６】
本発明は、前記の提灯掛けを備えた仏壇の他、提灯掛けの挿入空間側の先端の上面側に凸状の突起を形成することで、提灯掛けを仏壇から引き出す際に段階的方向調節部材に当接してストッパーの役割を果たし、提灯掛けを引き出しすぎることによる脱落を防止することを特徴とする。
提灯掛けは、仏壇の挿入空間内に挿入されているため、引き出せる長さが分からないまま、引き出しすぎる結果、脱落してしまうおそれがある。
特に、提灯を吊るした提灯掛けは、提灯の重さによって挿入孔から引き出されて、脱落してしまうことも考えられる。
そこで、提灯掛けを一定の長さ以上は引き出せないようにするため、提灯掛けに突起を形成し、その突起を、仏壇の天板下の挿入空間内に当接させる必要がある。
本発明は、提灯掛けの上面側に凸状の突起を形成し、この突起を、段階的方向調節部材に当接させることで、提灯掛けを引き出しすぎないようにしたものである。
【００１７】
本発明に係る提灯掛けを備えた仏壇は、
前記のストッパーの役割を果たす凸状の突起が、
提灯掛けの側方に設けられていることで、
提灯掛けを引き出したときにストッパーが挿入孔の挿入空間側の縁に当たり、
提灯掛けを引き出しすぎることによる脱落を防止する
ことを特徴とする。
【００１８】
本発明は、前記のストッパーを有する提灯掛けを備えた仏壇について、提灯掛けの挿入空間側の先端の上面側に凸状の突起を形成するのではなく、提灯掛けの側方側に凸状の突起を形成したことを特徴とする。
提灯掛けを仏壇から引き出す際に、提灯掛けを引き出しすぎることによる脱落を防止するため、ストッパーを設けることは種々行われる。
そこで、本発明は、提灯掛けの側方側に凸状の突起を形成して、これを挿入孔の挿入空間（仏壇の内部）側の開口部分の縁に当て、提灯掛けを引き出しすぎることによる脱落を防止する。
この提灯掛けの側方側に設けた突起は、仏壇の外方向である、提灯掛けの側方側に設けられていることで、引き出した提灯掛けを仏壇の外方向に向けても、依然として、ストッパーが挿入孔の挿入空間（仏壇の内部）側の開口部分の縁に当たるため、提灯掛けの向きを変えても、提灯掛けを引き出しすぎることによる脱落を防止することができる。
【００１９】
本発明に係る提灯掛けを備えた仏壇は、
提灯掛けの前記の仏壇正面側の先端には、
挿入孔の開口部大の大きさの
装飾板が取り付けられている
ことを特徴とする。
【００２０】
本発明は、提灯掛けの仏壇正面側の先端に、挿入孔の開口部分の目隠しとなる装飾板が取り付けられたことを特徴とする。
提灯掛けは、挿入孔を通して、仏壇の前面側から出し入れ自在に取り付けられている。
そのため、提灯掛けが挿入される挿入孔の開口部分は、仏壇の正面から見えてしまって、見栄えが悪い。
そこで、提灯掛けの仏壇正面側の先端に、挿入孔の開口部大の大きさの装飾板を取り付けたものである。
この装飾板は、挿入孔の開口部分を隠す目隠しの役割を果たすほか、提灯掛けを引き出し易くする摘みとしても機能する。
したがって、装飾板の大きさは、挿入孔の開口部大が望ましい。
装飾板に施された装飾は、装飾板の表面に家紋などを彫ることもできるし、装飾板自体を特徴的な形態にすることもできる。
【発明の効果】
【００２１】
本発明に係る提灯掛けを備えた仏壇は、以下の効果を奏する。
１）仏壇に燈籠よりも大きい荘厳具として、提灯を掛けることができる。
２）提灯を使わないときは収納し、使うときだけ引き出して使うことができる。
３）挿入孔に切り欠きを形成することで、挿入孔の開口部分の板材を破損させることなく、引き出した提灯掛けを仏壇の外方向へ向けることができる。
４）提灯が仏壇の正面を遮って邪魔になれば、引き出した提灯掛けを仏壇の外方向へ向け、任意の方向で固定し、提灯を仏壇の正面を遮らないようにすることができる。
５）提灯掛けの外方向へ向ける位置（方向）を段階的に調節できる。
６）提灯掛けの先端に装飾板を取り付けられていることで、挿入孔の開口部分の見栄えが良くなり、また、提灯掛けが掴み易くなる。
【図面の簡単な説明】
【００２２】
【図１】提灯掛けが挿入された状態の実施例を示す仏壇の上方斜視図
【図２】提灯掛けが仏壇から前方に引き出され、提灯が掛けられた状態の実施例を示す仏壇の上方斜視図
【図３】提灯掛けが、仏壇から前方に引き出されたうえ、仏壇の外方向に向けられ、提灯が掛けられた状態の実施例を示す仏壇の上方斜視図
【図４】提灯掛けが仏壇から前方に引き出された状態における右側挿入孔（仏壇を正面から見て左側）周辺の水平断面図
【図５】提灯掛けが仏壇から前方に引き出され、仏壇の外方向に向けられた状態における右側挿入孔（仏壇を正面から見て左側）周辺の水平断面図
【図６】右側（仏壇を正面から見て左側）挿入孔において、挿入空間（仏壇の内部）側の開口部分付近の縁のみが仏壇の内方向に向かって切り欠かれた実施例を示す挿入孔部分の水平面断面図
【図７】提灯掛けが引き出され、段階的方向調節部材によって仏壇の外方向に向く位置を調節した状態における仏壇の挿入空間内の構成の概略を示した図
【図８】図７の左側の提灯掛けの上面側に形成された溝が段階的方向調節部材の突起に嵌合した状態を示す断面図
【図９】図４の提灯掛けの側方に凸状の突起が設けられ、当該突起がストッパーの役割を果たしている状態を示す図
【図１０】図５の提灯掛けの側方に凸状の突起が設けられ、当該突起がストッパーの役割を果たしている状態を示す図
【発明を実施するための形態】
【００２３】
図１は、提灯掛けが挿入された状態の実施例を示す仏壇の正面図である。
図２は、提灯掛けが仏壇から引き出され、提灯が掛けられた状態の実施例を示す仏壇の上方斜視図である。
【００２４】
提灯掛け１は、棒状の棹からなり、棒の形状は、円柱でも、直方体でも良い。
提灯掛け１は、図１に示すとおり、仏壇の天板下の支輪（笠）部分の正面側に設けられた挿入孔７に対して、出し入れ自在に挿入される。
挿入孔７は、仏壇の正面から内部に向かって筒状に設けられており、この筒状の挿入孔７に対して、提灯掛け１が挿入される。
挿入孔７は、提灯２を掛けて吊り下げるのに適した場所であれば、仏壇の天板下の支輪（笠）に限定されず、提灯掛け１を引き出し自在に挿入できれば、仏壇の上部のどこの位置に設けても良い。
提灯掛け１は、使用するときに、挿入孔７から仏壇の正面側に引き出して、先端に提灯２を掛けて使用する。
使用しないときは、挿入孔７から仏壇内部に押し込んで収納できる。
【００２５】
提灯掛け１の仏壇正面側の先端には、挿入孔７の開口部大の大きさの装飾板３が取り付けられている。
この装飾板３は、挿入孔７の開口部分を隠す目隠しの役割を果たすほか、提灯掛け１を引き出し易くする摘みとしても機能する。
したがって、装飾板３の大きさは、挿入孔７の開口部大が望ましい。
装飾板３に施された装飾は、装飾板３の表面に家紋などを彫ることもできるし、装飾板３自体を特徴的な形態にすることもできる。
【００２６】
図３は、提灯掛けが、仏壇から引き出されたうえ、仏壇の外方向に向けられ、提灯が掛けられた状態の実施例を示す仏壇の上方斜視図である。
図４は、提灯掛けが仏壇から前方に引き出された状態における右側挿入孔７（仏壇を正面から見て左側）周辺の水平断面図であり、図５は、提灯掛けが仏壇から前方に引き出され、仏壇の外方向に向けられた状態における右側挿入孔７（仏壇を正面から見て左側）周辺の水平断面図である。
図４及び５は、図面下が、仏壇の正面側であり、図面左が、仏壇の外方向である（図６も同様である）。
【００２７】
提灯掛け１は、提灯掛け１に掛けられた提灯２が、仏壇の正面を遮らないように、仏壇の外側に向けた状態で、引き出すことができる。
仏壇の外側に向ける提灯掛け１の動きは、一旦、仏壇の前方向に完全に引き出してからでもできるし、引き出す途中の状態でもできる。
このように、提灯掛け１を仏壇の外側に向けた状態で引き出すことができるのは、挿入孔７に、次のとおり、切り欠き（４、５）が形成されているためである。
すなわち、挿入孔７は、正面側の開口部分付近の縁に、仏壇の外方向に向かって切り欠き４が形成されており、且つ、挿入空間（仏壇の内部）側の開口部分付近の縁が、仏壇の内方向に向かって切り欠き５が形成されている。
筒状に開口する挿入孔７が、このような切り欠き形状（４、５）をなしていることで、仏壇の前方向に引き出した提灯掛け１を、仏壇の外側に向けることができ、その結果、提灯掛け１に掛けた提灯２が仏壇の正面を遮らないようにすることができる。
このような切り欠き形状（４、５）にすることで、挿入孔７の径をできるだけ小さくすることができるため、挿入孔７の開口部分が目立たなくすることができる。
【００２８】
例えば、挿入孔７の仏壇正面側の開口部分の大きさを、できるだけ小さくして、なおかつ、仏壇の前方向に引き出した提灯掛け１を、仏壇の外側に向けることができるようにするには、挿入孔７の挿入空間側の開口部分付近の縁のみを、仏壇の内方向に向かって切り欠く必要がある。
しかし、正面側の開口部分付近の縁に切り欠き４を形成しなかった場合は、正面側の開口部分付近の縁は、図６の右側（仏壇を正面から見て左側）挿入孔において、挿入空間（仏壇の内部）側の開口部分付近の縁のみが仏壇の内方向に向かって切り欠かれた実施例を示す挿入孔部分の水平面断面図に示すとおり、板材が薄くなり、開口部付近の板材が割れたり、欠けるなどして破損するおそれがある。
したがって、挿入孔７の、挿入空間（仏壇の内部）側の開口部分付近の縁だけでなく、正面側の開口部分付近の縁にも切り欠き４を形成することで、正面側の開口部分付近の縁の板材が薄くなって開口部付近の板材が割れたり、欠けるなどの破損を防ぐことができる。
【００２９】
図７は、提灯掛けが引き出され、段階的方向調節部材によって仏壇の外方向に向く位置を調節した状態における仏壇の挿入空間内の構成の概略を示した図である。
段階的方向調節部材８は、一端を、仏壇の天板下の挿入空間内の左右の側壁に取り付け、予め、仏壇の正面側に傾けている。
提灯掛けは、仏壇の正面側に傾いた状態で挿入空間内の左右の側壁に取り付けられた段階的方向調節部材８の範囲内で、且つ、上記した挿入孔の切り欠きの範囲内で、仏壇の外方向に向けられる。
なお、提灯掛けの挿入空間側の先端には、上面側に凸状の突起（ストッパー）６が形成されている。
この凸状の突起（ストッパー）６が、提灯掛けを仏壇から引き出す際に段階的方向調節部材８に当接することで、提灯掛けを引き出しすぎることによる脱落を防止する。
図８は、図７の左側の提灯掛けの上面側に形成された溝が段階的方向調節部材の下面側に形成された突起に嵌合した状態を示す断面図である。
段階的方向調節部材８は、下面側に、鉛直下方向に向かって凸状の突起が所定間隔で複数形成されている。
提灯掛けは、長軸方向に沿って、上面側に凹状の溝が形成されている。
提灯掛けに形成された凹状の溝が、段階的方向調節部材８に形成された複数の突起の一つと嵌合することで、提灯掛けが向く方向を固定する。
このように、提灯掛けに形成された凹状の溝を、段階的方向調節部材８に形成された複数の突起のいずれか一に嵌合させるようにして、提灯掛けが向く方向を調節することができる。
【００３０】
図９及び１０は、図４及び５における提灯掛けの側方に凸状の突起が設けられ、当該突起がストッパーの役割を果たしている状態を示す図である。
提灯掛け１の側方に、凸状の突起（ストッパー）６が設けられている。
凸状の突起（ストッパー）６は、提灯掛け１を引き出しすぎることによって、提灯掛け１が脱落することを防止するためのものである。
凸状の突起（ストッパー）６は、突起形状をなしており、仏壇の外方向である、提灯掛け１の側方側に設けられている。
これにより、提灯掛け１を引き出したときに、凸状の突起（ストッパー）６が挿入孔の挿入空間（仏壇の内部）側の開口部分の縁に当たり、提灯掛け１を引き出しすぎることによる脱落を防止する。
また、この凸状の突起（ストッパー）６は、仏壇の外方向である、提灯掛け１の側方側に設けられていることで、引き出した提灯掛け１を仏壇の外方向に向けても、依然として、凸状の突起（ストッパー）６が挿入孔７の挿入空間（仏壇の内部）側の開口部分の縁に当たるため、提灯掛け１の向きを変えても、提灯掛け１を引き出しすぎることによる脱落を防止することができる。
【００３１】
以上のとおり、本発明によれば、燈籠よりも大きい荘厳具として、提灯を仏壇に掛けることができる。
また、提灯を使わないときは、提灯掛けは収納して、使うときだけ引き出して使うことができるが、提灯が仏壇の正面を遮って邪魔になれば、引き出した提灯掛けを仏壇の外方向へ向けて、提灯を仏壇の正面を遮らないようにすることができる。
【符号の説明】
【００３２】
１    提灯掛け
２    提灯
３    装飾板
４    正面側の開口部分付近の切り欠き
５    挿入空間（仏壇の内部）側の開口部分付近の切り欠き
６    凸状の突起（ストッパー）
７    挿入孔
８    段階的方向調節部材
【図１】
2015112309.tif 000003
【図２】
2015112309.tif 000004
【図３】
2015112309.tif 000005
【図４】
2015112309.tif 000006
【図５】
2015112309.tif 000007
【図６】
2015112309.tif 000008
【図７】
2015112309.tif 000009
【図８】
2015112309.tif 000010
【図９】
2015112309.tif 000011
【図１０】
2015112309.tif 000012